(57)【要約】【課題】シンプルな構成で安定した受信信号を供給することができるダイバシティ方式受信装置、ダイバシティ方式受信装置の制御方法、及びプログラムを提供する。【解決手段】第１及び第２の受信信号が入力され、第２の受信信号に基づいて第２の受信信号と位相が異なる１つ以上の第３の受信信号を生成する１つ以上の位相器１５，１６と、第１の受信信号と、第２の受信信号又は第３の受信信号の夫々との間の相関を求める相関算出部２１と、第２の受信信号又は第３の受信信号のうち、第１の受信信号と相関の最も高い受信信号を選出する相関比較部２４と、相関比較部２４によって選出された第２又は第３の受信信号を選択して出力するセレクタと、第１の受信信号とセレクタから出力される受信信号とを合成した信号を出力する合成器２６とを含むダイバシティ方式受信装置１を構成する。【選択図】  図１
2007028100.tif 000002
【特許請求の範囲】
【請求項１】
異なるアンテナによって受信された第１及び第２の受信信号が入力されるダイバシティ方式受信装置であって、
前記第２の受信信号に基づいて当該第２の受信信号と位相が異なる１つ以上の第３の受信信号を生成する１つ以上の位相器と、
前記第１の受信信号と、前記第２の受信信号又は第３の受信信号の夫々との相関を求める相関算出部と、
前記第２の受信信号又は前記第３の受信信号のうち、前記第１の受信信号との相関が最も高い受信信号を選出する相関比較部と、
前記相関比較部によって選出された、前記第２の受信信号又は前記第３の受信信号のうちのいずれかを選択して出力するセレクタと、
前記第１の受信信号と前記セレクタから出力される受信信号とを合成した信号を出力する合成器と、
を含むこと
を特徴とするダイバシティ方式受信装置。
【請求項２】
請求項１に記載のダイバシティ方式受信装置であって、
所定時間間隔でトリガー信号を発行するトリガー発行部を含み、
前記相関算出部は、前記トリガー信号が発行されるごとに、前記第１の受信信号と、前記第２の受信信号又は第３の受信信号の夫々との相関を求め、
前記相関比較部は、前記トリガー信号が発行されるごとに、前記第２の受信信号又は前記第３の受信信号のうち、前記第１の受信信号との相関が最も高い受信信号を選出すること
を特徴とするダイバシティ方式受信装置。
【請求項３】
請求項１に記載のダイバシティ方式受信装置であって、
前記相関算出部は、前記第１の受信信号のサンプリング値と、前記第２の受信信号又は第３の受信信号のサンプリング値とをピアソンの積率相関係数の式に代入することにより前記相関を求めること
を特徴とするダイバシティ方式受信装置。
【請求項４】
請求項１に記載のダイバシティ方式受信装置であって、
前記位相器は遅延器によって構成されること
を特徴とするダイバシティ方式受信装置。
【請求項５】
請求項１に記載のダイバシティ方式受信装置であって、
前記第１の受信信号を増幅して前記相関算出部及び前記合成器に供給する第１のフロントエンド部と、
前記第２の受信信号を増幅して前記相関算出部及び前記位相器に供給する第２のフロントエンド部と、
を含むこと
を特徴とするダイバシティ方式受信装置。
【請求項６】
請求項１に記載のダイバシティ方式受信装置であって、
前記相関算出部又は前記相関比較部は、ＭＰＵによるソフトウエア制御、ＤＳＰを用いた処理、又はワイヤーロジックのうちの少なくともいずれかによって実現されること
を特徴とするダイバシティ方式受信装置。
【請求項７】
異なるアンテナによって受信された第１及び第２の受信信号が入力されるダイバシティ方式受信装置の制御方法であって、
前記第２の受信信号に基づいて当該第２の受信信号と位相が異なる１つ以上の第３の受信信号を１以上の位相器によって生成するステップと、
前記第１の受信信号と、前記第２の受信信号又は第３の受信信号の夫々との相関を求めるステップと、
前記第２の受信信号又は前記第３の受信信号のうち、前記第１の受信信号との相関が最も高い受信信号を選出するステップと、
選出した前記第２の受信信号又は前記第３の受信信号のうちのいずれかを選択して出力するステップと、
前記第１の受信信号と出力された前記受信信号とを合成した信号を出力するステップと、
を含むこと
を特徴とするダイバシティ方式受信装置の制御方法。
【請求項８】
請求項１に記載のダイバシティ方式受信装置に用いられるプログラムであって、
前記相関算出部によって行われる、前記第１の受信信号と、前記第２の受信信号又は第３の受信信号の夫々との相関を求める機能と、
前記相関比較部によって行われる、前記第２の受信信号又は前記第３の受信信号のうち、前記第１の受信信号との相関が最も高い受信信号を選出する機能と、
を実現するためのプログラム。
【発明の詳細な説明】
【技術分野】
【０００１】
この発明は、車載用アンテナや携帯電話機等に用いられるダイバシティ方式受信装置、ダイバシティ方式受信装置の制御方法、及びプログラムに関し、シンプルな構成で安定した受信信号を供給する技術に関する。
【背景技術】
【０００２】
特許文献１には、複数のＴＶアンテナのうちの少なくとも一つのＴＶアンテナの受信信号の位相を複数の移相器によって互いに異なるシフト量でシフトし、各移相器の出力信号と他のＴＶアンテナの出力信号とを合成する合成手段と、この合成手段により合成された複数の合成受信信号と上記ＴＶアンテナから出力される受信信号とを比較し、又は複数の合成受信信号を比較し、そのうちの最も高いレベルの受信信号を選択してテレビへ送る受信信号切り換え手段を備えたＴＶダイバシティシステムについて記載されている。
【０００３】
図６は特許文献１に記載されている上記車載用ＴＶダイバシティシステムであり、複数のＴＶアンテナ６１、複数の増幅回路（アンプ）６２、複数の移相器３１、複数の合成器４１、受信信号切り換えスイッチ５１、レベル比較回路７１等を有している。このシステムでは、レベル比較回路７１が一定周期（例えば１／６０秒）で受信信号切り換えスイッチ５１を切り換えて合成器４１によって合成された各受信信号のレベル（信号強度）を比較し、最もレベルの高い受信信号を選択してＴＶチューナ７２に供給する。
【特許文献１】特開２０００−２５２８９５号公報
【発明の開示】
【発明が解決しようとする課題】
【０００４】
ところで、上記システムにおいては合成後の各受信信号のレベルを比較しているため、合成された受信信号の数だけ合成器４１が必要になり、その分、装置規模が大きくなる。また上記一定周期で行われる切り換え走査（スイッチング）はノイズの発生要因となる。さらに、上記システムでは、最適な信号が決定されるまでの間、質の悪い受信信号が後段のＴＶチューナに漏れてしまう。
【０００５】
本発明はこのような問題に鑑みてなされたもので、シンプルな構成で安定した受信信号を供給することができるダイバシティ方式受信装置、ダイバシティ方式受信装置の制御方法、及びプログラムを提供すること目的とする。
【課題を解決するための手段】
【０００６】
上記目的を達成するための本発明のうちの主たる発明は、異なるアンテナによって受信された第１及び第２の受信信号が入力されるダイバシティ方式受信装置であって、前記第２の受信信号に基づいて当該第２の受信信号と位相が異なる１つ以上の第３の受信信号を生成する１つ以上の位相器と、前記第１の受信信号と、前記第２の受信信号又は第３の受信信号の夫々との相関を求める相関算出部と、前記第２の受信信号又は前記第３の受信信号のうち、前記第１の受信信号との相関が最も高い受信信号を選出する相関比較部と、前記相関比較部によって選出された、前記第２の受信信号又は前記第３の受信信号のうちのいずれかを選択して出力するセレクタと、前記第１の受信信号と前記セレクタから出力される受信信号とを合成した信号を出力する合成器と、を含むこととする。
【０００７】
本発明のダイバシティ方式受信装置は、合成前に位相の異なる２つの受信信号の相関を比較して、相関の最も高い組合せの受信信号のみを合成する。このため合成器の数が基本的に１つで済み、シンプルな構成のダイバシティ方式受信装置を実現することができる。また位相器として遅延器を用いることでダイバシティ方式受信装置をより一層シンプルな構成とすることができる。
【０００８】
また本発明のダイバシティ方式受信装置は、合成後ではなく合成前における受信信号の位相の相関を調べているため、最適な受信信号の組合せを高精度で求めることができ、ＴＶチューナ等の後段の回路に高品質の受信信号を供給することができる。また相関の最も高い組合せを決定した後にセレクタが動作するため、質の悪い信号が後段の回路に漏れることがない。さらにセレクタの切換回数が少ないためノイズの発生も少ない。
【発明の効果】
【０００９】
本発明によれば、シンプルな構成で安定した受信信号を供給することができる。
【発明を実施するための最良の形態】
【００１０】
以下、本発明の実施形態につき詳細に説明する。図１に本発明の一実施形態として説明するダイバシティ（Diversity）方式の受信装置の要部ブロック図を示している。受信装置１は、第１のアンテナ１１が受信した受信信号（以下、第１の受信信号という）を増幅する第１のフロントエンド（Front End）部１２、第２のアンテナ１３が受信した受信信号（以下、第２の受信信号という）を増幅する第２のフロントエンド部１４、受信信号の位相を変化させる第１及び第２の位相器（Phase Shifter）１５，１６、トリガー発行部１７、第１乃至第３の乗算部１８，１９，２０、第１乃至第３の相関算出部２１，２２，２３、相関比較部２４、セレクタ２５、及び合成器２６を含んで構成されている。
【００１１】
図１に示すブロック図において、第１及び第２の位相器１５，１６としては、例えば９０°ハイブリッドトランスとバリキャップダイオードを用いたオクターブ・バンド方式のもの、高周波信号を中間周波数に変換した後、再び元の周波数に変換しこの際の局部発振周波数の位相を変化させることにより出力信号の位相を変化させる周波数変換方式のもの、入力信号の位相と出力信号或いは外部からの信号の位相を比較しフィードバック制御ループ内の遅延量により出力信号の位相を変化させるＰＬＬ（Phase Lock Loop）方式のもの等を用いることができる。
【００１２】
第１乃至第３の乗算部１８，１９，２０、第１乃至第３の相関算出部２１，２２，２３、及び、相関比較部２４は、ＭＰＵ（Micro Processor Unit）によるソフトウエア制御、ＤＳＰ（Digital Signal Processor）を用いた処理、又はワイヤーロジック（Wired Logic）等のうちの少なくともいずれかを用いて構成されている。
【００１３】
受信装置１は、例えば車載用のラジオチューナやＴＶチューナ、携帯電話機、無線ＬＡＮ等に適用され、複数のアンテナによって受信した受信信号を合成してＩＦ回路や検波回路等の後段の回路に供給する。
【００１４】
具体的には、受信装置１は、複数のアンテナのうちの特定のアンテナによって受信された受信信号に基づいて位相の異なる複数の受信信号を生成し、これらの受信信号の夫々と他のアンテナによって受信された受信信号との相関を求め、相関の最も高い２つの受信信号を合成して後段の回路に供給する。
【００１５】
上記の相関は、例えば次式（１）に示すピアソンの積率相関係数として求められる。  
2007028100.tif 000003
式（１）において、ｒはピアソンの積率相関係数である。またｎはサンプリング数である。ｘｉ、ｙｉは、夫々、比較対象となる２つの受信信号についての時刻ｔ１、ｔ２、・・・ｔｎにおける大きさのサンプリング値である。＜ｘ＞、＜ｙ＞は、夫々各受信信号のサンプリング値の平均値である。
【００１６】
なお、以下の実施形態では、上式を簡略化した次式（２）に基づいて相関ｒを求めることとする。  
2007028100.tif 000004
【００１７】
図１に示すブロック図において、第１の位相器１５は、第２のフロントエンド部１４から出力される第２の受信信号（以下、この受信信号を波動関数「Ａ２（ｔ）」と表記する）の位相をｄだけシフトした第３の受信信号（以下、この受信信号を波動関数「Ａ２（ｔ＋ｄ）」と表記する）を生成する。また第２の位相器１６は、第１の位相器１５から出力される第３の受信信号の位相をさらにｄだけシフトさせた第３の受信信号（以下、この受信信号を波動関数「Ａ２（ｔ＋２ｄ）」と表記する）を生成する。
【００１８】
第１の乗算部１８には第１のフロントエンド部１２から出力される第１の受信信号（以下、この受信信号を波動関数「Ａ１（ｔ）」と表記する）と、第２のフロントエンド部１４から出力される第２の受信信号Ａ２（ｔ）とが入力される。第１の乗算部１８は、各時刻ｔ１、ｔ２、・・・における各受信信号のサンプリング値を乗算した値、すなわち、Ａ１（ｔ１）×Ａ２（ｔ１）、Ａ１（ｔ２）×Ａ２（ｔ２）・・・を順次に求めて第１の相関算出部２１に出力する。
【００１９】
第１の相関算出部２１は、第１の乗算部１８から順次入力される値に基づき、次式（３）により第１の受信信号と第２の受信信号との相関ｒ１を求めて相関比較部２４に出力する。  
2007028100.tif 000005
【００２０】
第２の乗算部１９には、第１のフロントエンド部１２から出力される第１の受信信号と、第１の位相器１５から出力される第３の受信信号Ａ２（ｔ＋ｄ）とが入力される。第２の乗算部１９は、各時刻ｔ１、ｔ２、・・・における各受信信号のサンプリング値を乗算した値、すなわち、Ａ１（ｔ１）×Ａ２（ｔ１＋ｄ）、Ａ１（ｔ２）×Ａ２（ｔ２＋ｄ）・・・を順次求めて第２の相関算出部２２に出力する。
【００２１】
第２の相関算出部２２は、第２の乗算部１９から順次入力される値に基づき、次式（４）により第１の受信信号Ａ１（ｔ）と第２の受信信号Ａ２（ｔ＋ｄ）との相関ｒ２を求めて相関比較部２４に出力する。  
2007028100.tif 000006
【００２２】
第３の乗算部２０には、第１のフロントエンド部１２から出力される第１の受信信号Ａ１（ｔ）と、第２の位相器１６から出力される第３の受信信号Ａ２（ｔ＋２ｄ）とが入力される。第３の乗算部２０は、各時刻ｔ１、ｔ２、・・・において夫々の受信信号のサンプリング値を乗算した値、すなわち、Ａ１（ｔ１）×Ａ２（ｔ１＋２ｄ）、Ａ１（ｔ２）×Ａ２（ｔ２＋２ｄ）・・・を順次求めて第３の相関算出部２３に出力する。
【００２３】
第３の相関算出部２３は、第３の乗算部２０から順次入力される値に基づき、次式（５）により第１の受信信号Ａ１（ｔ）と第３の受信信号Ａ２（ｔ＋２ｄ）との相関ｒ３を求めて相関比較部２４に出力する。  
2007028100.tif 000007
【００２４】
相関比較部２４は、第１乃至第３の相関算出部２１，２２，２３から出力される相関ｒ１、相関ｒ２、及び相関ｒ３を比較することにより、第２の受信信号Ａ２（ｔ）、第３の受信信号Ａ２（ｔ＋ｄ）、第３の受信信号Ａ２（ｔ＋２ｄ）のうち第１の受信信号Ａ１（ｔ）と最も相関の高いものを選出する。セレクタ２５は、相関比較部２４によって選出された受信信号を選択して合成器２６に出力する。
【００２５】
合成器２６には第１のフロントエンド部１２から入力される第１の受信信号Ａ１（ｔ）と、セレクタ２５から入力される第２の受信信号Ａ２（ｔ）、第３の受信信号Ａ２（ｔ＋ｄ）、第３の受信信号Ａ２（ｔ＋２ｄ）のうちのいずれかが入力され、入力された２つの受信信号を合成した信号を後段の回路に出力する。
【００２６】
トリガー発行部１７は、以上に説明した各処理のタイミングを制御するトリガー信号を発行する。  
図２はトリガー発行部１７の処理を説明するフローチャートである。トリガー発行部１７はカウンタ及びクロックジェネレータを有している。トリガー発行部１７は、クロックジェネレータから出力されるクロック信号のパルスが入力されるごとにカウンタの値をカウントアップする（Ｓ２１１）。またトリガー発行部１７は、メモリを有しており、位相制御周期を記憶している。トリガー発行部１７は、上記カウンタ値がカウントアップされるごとに、カウンタ値と位相制御周期とを比較する（Ｓ２１２）。そしてトリガー発行部１７は、カウンタの値が位相制御周期に一致すると（Ｓ２１２：ＹＥＳ）、第１乃至第３の相関算出部２１，２２，２３及び相関比較部２４にトリガー信号を出力する（Ｓ２１３）。またこの時、トリガー発行部１７はカウンタ値をクリアする（Ｓ２１４）。
【００２７】
以上の仕組みによって、第１乃至第３の相関算出部２１，２２，２３及び相関比較部２４に位相制御周期ごとにトリガー信号が入力されることとなる。なお、以下に説明するように、第１乃至第３の相関算出部２１，２２，２３及び相関比較部２４の処理のタイミングは、位相制御周期ごとに入力される上記トリガー信号によって制御される。このため、例えば相関算出部２１，２２，２３及び相関比較部２４を実現しているＭＰＵやＤＳＰ、ワイヤーロジック等のハードウエアの性能に応じて位相制御周期を設定することで、合成器２６から出力される合成信号の品質が最大となるようにトリガー信号の発行タイミングを調節することができる。
【００２８】
図３Ａは、第１の乗算部１８及び第１の相関算出部２１の処理を説明するフローチャートである。Ｓ３１１の処理では、ｉの値を初期化している（Ｓ３１１）。Ｓ３１２の処理では次式（６）のように累積値Ｔ１にＡ１（ｔｉ）×Ａ２（ｔｉ）の値を加算している（Ｓ３１２）。  
2007028100.tif 000008
なお、式（６）におけるｎは、トリガー信号が入力される間隔、すなわち、位相制御周期に応じて定まるサンプリング数である。
【００２９】
続くＳ３１３の処理では、第１の相関算出部２１がトリガー信号が入力されたかどうかを調べている（Ｓ３１３）。ここでトリガー信号が入力されていない場合には（Ｓ３１３：ＮＯ）、Ｓ３１２の処理を繰り返す。一方、トリガー信号が入力されていた場合には（Ｓ３１３：ＹＥＳ）、その時の累積値Ｔ１の値を相関ｒ１として相関比較部２４に出力する（Ｓ３１４）。  
Ｓ３１５では、次のトリガー信号が入力されるまでの計算を開始するため、累積値Ｔ１を初期化している（Ｓ３１５）。
【００３０】
図３Ｂは、第２の乗算部１９及び第２の相関算出部２２の処理を説明するフローチャートである。Ｓ３２１の処理では、ｉの値を初期化している（Ｓ３２１）。Ｓ３１２の処理では、次式（７）のように累積値Ｔ２にＡ１（ｔｉ）×Ａ２（ｔｉ＋ｄ）の値を加算している（Ｓ３２２）。  
2007028100.tif 000009
なお、式（７）におけるｎは、トリガー発行部１７からトリガー信号が入力される間隔、すなわち、位相制御周期に応じて定まるサンプリング数である。
【００３１】
Ｓ３２３の処理では、第２の相関算出部２２が、トリガー信号が入力されたかどうかを調べている（Ｓ３２３）。トリガー信号が入力されていない場合には（Ｓ３２３：ＮＯ）、Ｓ３２２の処理を繰り返す。トリガー信号が入力されていた場合には（Ｓ３２３：ＹＥＳ）、その時の累積値Ｔ２の値を相関ｒ２として相関比較部２４に出力する（Ｓ３２４）。  
Ｓ３２５の処理では、次の計算のために累積値Ｔ２を初期化している（Ｓ３２５）。
【００３２】
図３Ｃは、第３の乗算部２０及び第３の相関算出部２３の処理を説明するフローチャートである。Ｓ３３１の処理では、ｉの値を初期化している（Ｓ３３１）。Ｓ３３２の処理では、次式（８）に示すように、累積値Ｔ３にＡ１（ｔｉ）×Ａ２（ｔｉ＋２ｄ）の値を加算している（Ｓ３３２）。  
2007028100.tif 000010
なお、式（８）におけるｎは、トリガー信号が入力される間隔、すなわち、位相制御周期に応じて定まるサンプリング数である。
【００３３】
Ｓ３３３の処理では、第３の相関算出部２３が、トリガー信号が入力されたかどうかを調べている（Ｓ３３３）。ここでトリガー信号が入力されていない場合には（Ｓ３３３：ＮＯ）、Ｓ３３２の処理を繰り返す。一方、トリガー信号が入力された場合には（Ｓ３３３：ＹＥＳ）、その時の累積値Ｔ３の値を相関ｒ３として相関比較部２４に出力する（Ｓ３３４）。Ｓ３３５の処理では、次の計算のために累積値Ｔ３を初期化している（Ｓ３３５）。
【００３４】
図４は、相関比較部２４の処理を説明するフローチャートである。Ｓ４１１の処理では、トリガー信号が入力されたかどうかを調べている（Ｓ４１１）。続くＳ４１２の処理では、変数ｍを１に、変数Ｍの値を相関ｒ１に設定している（Ｓ４１２）。Ｓ４１３の処理では、ｉを２に設定している（Ｓ４１３）。Ｓ４１４の処理では、Ｍと相関ｒｉとを比較している。ここで相関ｒｉがＭよりも大きい場合には（Ｓ４１４：ＹＥＳ）、ｍの値をｉに、Ｍの値を相関ｒｉに夫々設定している（Ｓ４１５）。ここで相関ｒｉがＭよりも大きくなければ（Ｓ４１４：ＮＯ）、Ｓ４１６の処理に進む。
【００３５】
Ｓ４１６の処理では、ｉがｎに一致するかどうかを調べている（Ｓ４１６）。一致しない場合には（Ｓ４１６：ＮＯ）、Ｓ４１７の処理に進む。続くＳ４１７の処理では、ｉの値に１を加算している。Ｓ４１６の処理においてｉがｎに一致する場合には（Ｓ４１６：ＹＥＳ）、Ｓ４１８の処理に進む。
【００３６】
Ｓ４１８の処理では、セレクタ２５が、ｍの値に対応する受信信号（すなわち、ｍ＝１の場合は第２の受信信号、ｍ＝２の場合は第３の受信信号、ｍ＝３の場合は第４の受信信号）が合成器２６に出力されるように制御を行っている（Ｓ４１８）。
【００３７】
次に、第１のフロントエンド部１２から第１の受信信号Ａ１（ｔ）として図５Ａに示す波形からなる受信信号が出力され、第２のフロントエンド部１４からの第２の受信信号Ａ２（ｔ）として図５Ｂに示す波形からなる受信信号が出力された場合における、図１に示す受信装置１の各点における波形の例を示す。なお、図５Ａ乃至図５Ｐに示す各グラフにおいて、縦軸は振幅レベルであり、横軸はサンプル数（サンプリング周波数＝５．６４４８ＭＨｚ）である。
【００３８】
図５Ｃは、第１の位相器１５から出力される第３の受信信号Ａ２（ｔ＋ｄ）の波形である。また図５Ｄは、第２の位相器１６から出力される第３の受信信号Ａ２（ｔ＋２ｄ）の波形である。なお、第１の位相器１５及び第２の位相器１６のシフト量は夫々１２０゜である。
【００３９】
図５Ｅは、図５Ａ及び図５Ｂに示す波形の信号が入力された場合に第１の乗算器１８から出力される信号の波形である。図５Ｆは、図５Ａ及び図５Ｃに示す波形の信号が入力された場合に第２の乗算器１９から出力される信号の波形である。図５Ｇは、図５Ａ及び図５Ｄに示す波形の信号が入力された場合に第３の乗算器２０から出力される信号の波形である。
【００４０】
図５Ｈは、図５Ｅに示す信号に基づいて第１の相関算出部２１において算出される累積値Ｔ１の波形である。図５Ｉは、図５Ｆに示す信号に基づいて第２の相関算出部２２において算出される累積値Ｔ２の波形である。図５Ｊは、図５Ｇに示す信号に基づいて第３の相関算出部２３において算出される累積値Ｔ３の波形である。ここで図５Ｈ乃至図５Ｊに示すように、横軸２２５の付近においてトリガー発行部１７から第１乃至第３の相関算出部２１，２２，２３にトリガー信号が入力されている。すなわち、横軸２２５における立上り又は立ち下がりの直前の累積値Ｔ１,Ｔ２，Ｔ３が、夫々、相関ｒ１，ｒ２，ｒ３として相関比較部２４に入力される。
【００４１】
図５Ｋ乃至図５Ｍは、相関比較部２４に入力される信号の波形であり、相関ｒ１，ｒ２，ｒ３に対応する。この例では、相関としてｒ１＝−２７、ｒ２＝−２６、ｒ３＝５１が相関比較部２４に入力される。なお、この例において、相関ｒ１、相関ｒ２、相関ｒ３の初期値は０に設定されている。ここでセレクタ２５は、最も値の大きな相関ｒ３に対応する組合せの受信信号が合成器２６に入力されるように動作する。この例では、セレクタ２５は、第２の位相器１６から出力される第３の受信信号Ａ２（ｔ＋２ｄ）が合成器２６に入力されるように動作する。
【００４２】
図５Ｎは、合成器２６に入力される第１の受信信号Ａ１（ｔ）の波形である（図５Ａと同じ波形）。また図５Ｏはセレクタ２５から合成器２６に入力される信号の波形であり、第２の位相器１６から出力される第３の受信信号Ａ２（ｔ＋２ｄ）の波形である。なお、図５Ｏにおいて、トリガー信号が入力される時点（横軸２２５付近）よりも前においては、デフォルトの波形Ａ２（ｔ）になっている。図５Ｐは、合成器２６から出力される信号の波形であり、後段の回路に入力される波形である。
【００４３】
この例では横軸２２５付近でトリガー信号が入力されており、これに同期して合成器２６から出力される波形が切り換わっている。そして図５Ｐに示すように、切り換えが行われた後、合成器２６から出力される波形の振幅が大きくなっている。このように第１の受信信号Ａ１（ｔ）と第３の受信信号Ａ２（ｔ＋２ｄ）を合成することにより受信信号の波形が改善されている。
【００４４】
以上、本発明の一実施形態につき詳細に説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【００４５】
相関の高さは上述したピアソンの積率相関係数以外の方法によって判断することもできる。例えば各時間における信号強度の和を求め、これらを足し合わせた値によって相関を判断するようにすることもできる。
【００４６】
上述の実施形態では、位相の異なる２つの受信信号を生成しているが、位相器、乗算部、相関算出部の数を増やすことで、より高品質の受信信号を出力する受信装置１を構成することができる。
【００４７】
上述の実施形態では、各位相器によって位相をｄずつ等間隔でシフトさせる構成であるが、第２乃至第３の受信信号の全ての位相が異なっている限りシフト量の設定はこれに限られない。
【００４８】
上述の実施形態では、説明の便宜上、乗算部１８，１９，２０と相関算出部２１，２２，２３とを分けているが、乗算部１８，１９，２０は、夫々、対応する相関算出部２１，２２，２３の機能の一部であってもよい。
【図面の簡単な説明】
【００４９】
【図１】本発明の一実施形態として説明するダイバシティ方式受信装置１の要部ブロック図である。
【図２】本発明の一実施形態として説明するトリガー発行部１７の処理を説明するフローチャートである。
【図３Ａ】本発明の一実施形態として説明する第１の乗算部１８及び第１の相関算出部２１の処理を説明するフローチャートである。
【図３Ｂ】本発明の一実施形態として説明する第２の乗算部１９及び第２の相関算出部２２の処理を説明するフローチャートである。
【図３Ｃ】本発明の一実施形態として説明する第３の乗算部２０及び第３の相関算出部２３の処理を説明するフローチャートである。
【図４】本発明の一実施形態として説明する相関比較部２４の処理を説明するフローチャートである。
【図５Ａ】本発明の一実施形態として説明する第１のフロントエンド部１２から出力される第１の受信信号Ａ１（ｔ）の波形を示す図である。
【図５Ｂ】本発明の一実施形態として説明する第２のフロントエンド部１４から出力される第２の受信信号Ａ２（ｔ）の波形を示す図である。
【図５Ｃ】本発明の一実施形態として説明する第１の位相器１５から出力される第３の受信信号Ａ２（ｔ＋ｄ）の波形を示す図である。
【図５Ｄ】本発明の一実施形態として説明する第２の位相器１６から出力される第３の受信信号Ａ２（ｔ＋２ｄ）の波形を示す図である。
【図５Ｅ】本発明の一実施形態として説明する図５Ａ及び図５Ｂに示す波形の信号が入力された場合に第１の乗算器１８から出力される信号の波形を示す図である。
【図５Ｆ】本発明の一実施形態として説明する図５Ａ及び図５Ｃに示す波形の信号が入力された場合に第２の乗算器１９から出力される信号の波形を示す図である。
【図５Ｇ】本発明の一実施形態として説明する図５Ａ及び図５Ｄに示す波形の信号が入力された場合に第３の乗算器２０から出力される信号の波形を示す図である。
【図５Ｈ】本発明の一実施形態として説明する図５Ｅに示す信号に基づいて第１の相関算出部２１において算出される累積値Ｔ１の波形を示す図である。
【図５Ｉ】本発明の一実施形態として説明する図５Ｆに示す信号に基づいて第２の相関算出部２２において算出される累積値Ｔ２の波形を示す図である。
【図５Ｊ】本発明の一実施形態として説明する図５Ｇに示す信号に基づいて第３の相関算出部２３において算出される累積値Ｔ３の波形を示す図である。
【図５Ｋ】本発明の一実施形態として説明する相関比較部２４に入力される相関ｒ１に対応する信号の波形を示す図である。
【図５Ｌ】本発明の一実施形態として説明する相関比較部２４に入力される相関ｒ２に対応する信号の波形を示す図である。
【図５Ｍ】本発明の一実施形態として説明する相関比較部２４に入力される相関ｒ３に対応する信号の波形を示す図である。
【図５Ｎ】本発明の一実施形態として説明する合成器２６に入力される第１の受信信号Ａ１（ｔ）の波形を示す図である。
【図５Ｏ】本発明の一実施形態として説明するセレクタ２５から合成器２６に入力される信号の波形であり、第２の位相器１６から出力される第３の受信信号Ａ２（ｔ＋２ｄ）の波形を示す図である。
【図５Ｐ】本発明の一実施形態として説明する合成器２６から出力される信号の波形であり、後段の回路に入力される波形を示す図である。
【図６】特許文献１に記載の車載用ＴＶダイバシティシステムのブロック図である。
【符号の説明】
【００５０】
１    受信装置
１１  第１のアンテナ          １２  第１のフロントエンド部
１３  第２のアンテナ          １４  第２のフロントエンド部
１５  第１の位相器            １６  第２の位相器
１７  トリガー発行部          １８  第１の乗算部
１９  第２の乗算部            ２０  第３の乗算部
２１  第１の相関算出部        ２２  第２の相関算出部
２３  第３の相関算出部        ２４  相関比較部
２５  セレクタ                ２６  合成器
【図１】
2007028100.tif 000011
【図２】
2007028100.tif 000012
【図３Ａ】
2007028100.tif 000013
【図３Ｂ】
2007028100.tif 000014
【図３Ｃ】
2007028100.tif 000015
【図４】
2007028100.tif 000016
【図５Ａ】
2007028100.tif 000017
【図５Ｂ】
2007028100.tif 000018
【図５Ｃ】
2007028100.tif 000019
【図５Ｄ】
2007028100.tif 000020
【図５Ｅ】
2007028100.tif 000021
【図５Ｆ】
2007028100.tif 000022
【図５Ｇ】
2007028100.tif 000023
【図５Ｈ】
2007028100.tif 000024
【図５Ｉ】
2007028100.tif 000025
【図５Ｊ】
2007028100.tif 000026
【図５Ｋ】
2007028100.tif 000027
【図５Ｌ】
2007028100.tif 000028
【図５Ｍ】
2007028100.tif 000029
【図５Ｎ】
2007028100.tif 000030
【図５Ｏ】
2007028100.tif 000031
【図５Ｐ】
2007028100.tif 000032
【図６】
2007028100.tif 000033